(57)【要約】【課題】  複数の遊技機が列設された島において、タバコの煙が隣側へ流れないように確実に分煙でき、しかもその煙を迅速に遊技者の周囲から排煙でき、さらに空調機が吹き出す空気が遊技者に直接当たらないようにして遊技場内を温度差の少ない快適な環境にできる低コストの換気装置を提供する。【解決手段】  遊技場の島１の遊技機２間に設けられる分煙ボード４の上部に側面から吸気して上端から排気する空気清浄機４２を取り付け、分煙ボード４の後端に縦フレーム４３を固着し、同縦フレーム４３を挿入して分煙ボード４を取り外し可能に装着する受けボックス３を島１の遊技機２間に固定し、同受けボックス３に空気清浄機４２へ給電する電源線のコネクターを設け、同コネクターと前記空気清浄機４２の電源線に有するコネクターとを脱着可能に接続する。【選択図】  図１
2016029985.tif 000002
【特許請求の範囲】
【請求項１】
遊技場の島の遊技機間に設けられる分煙ボードの上部に側面から吸気して上端から排気する送風機を取り付け、分煙ボードの後端に縦フレームを固着し、同縦フレームを挿入して分煙ボードを取り外し可能に装着する浅い受けボックスを島の遊技機間に固定し、同受けボックスに送風機へ給電する電源線の受けボックス側コネクターを設け、同受けボックス側コネクターと前記送風機の電源線に有する送風機側コネクターとを脱着可能に接続した、遊技設備の換気装置。
【請求項２】
受けボックス側コネクターと対向する縦フレームの位置に送風機側コネクターを固着した、請求項１記載の遊技設備の換気装置。
【請求項３】
縦フレームの下端を載せるスライド台を受けボックス内の下部に設けた、請求項１又は２記載の遊技設備の換気装置。
【請求項４】
遊技場の島の遊技機間に設けられる分煙ボードの上部に側面から吸気して上端から排気する送風機を取り付け、分煙ボードの後端に縦フレームを固着し、同縦フレーム及び送風機を含む分煙ボード全体を収納する奥行きの長い受けボックスを島の遊技機間に固定し、同受けボックスに送風機へ給電する電源線の受けボックス側コネクターを設け、同受けボックス側コネクターと前記送風機の電源線に有する送風機側コネクターとを脱着可能に接続した、遊技設備の換気装置。
【請求項５】
送風機の電源線が、分煙ボードを引き出した状態で送風機側コネクターが受けボックス側コネクターに届く長さである、請求項４記載の遊技設備の換気装置。
【請求項６】
縦フレームに送風機側コネクターを固着し、同送風機側コネクターと受けボックス側コネクターとを別体の電源線を介して接続した、請求項４記載の遊技設備の換気装置。
【請求項７】
縦フレームの下端をスライド可能に支持するガイドレールを受けボックス内の下部に設けた、請求項４〜６いずれか記載の遊技設備の換気装置。
【請求項８】
分煙ボードの一部を切り欠き、同切欠き部に送風機を取り付けた、請求項１〜７いずれか記載の遊技設備の換気装置。
【請求項９】
送風機を分煙ボードの側面に取り付けた、請求項１〜７いずれか記載の遊技設備の換気装置。
【請求項１０】
２体の送風機を対向させて分煙ボードに取り付けた、請求項１〜９いずれか記載の遊技設備の換気装置。
【請求項１１】
受けボックスに装着した分煙ボードを取り外し不能に施錠する施錠手段を設けた、請求項１〜１０いずれか記載の遊技設備の換気装置。
【請求項１２】
遊技機の説明書又は薄物のファイルを挟むホルダー又は飲料容器を載せる折り畳み可能な容器受けを分煙ボードの側面に設けた、請求項１〜１１いずれか記載の遊技設備の換気装置。
【請求項１３】
送風機が吹き出す空気に帯電イオン・オゾン・除菌剤又は消臭剤の粒子を送り込む除菌消臭剤送り込み装置を設けた、請求項１〜１２いずれか記載の遊技設備の換気装置。
【発明の詳細な説明】
【技術分野】
【０００１】
本発明は、遊技場の島に設けられる換気装置に関する。
【背景技術】
【０００２】
従来、複数の遊技機が列設された遊技場の島において、遊技機間の境界位置にタバコの煙が隣側へ流れないようにする分煙ボードを取り付けたものが知られている（例えば特許文献１参照）。しかし、天井の空調機まで距離があるから、その吸い込み口に煙が直ぐに吸い込まれずに長く滞留することがあり、喫煙しない遊技者が不快に感じることがあった。
【０００３】
この問題に対し、煙を遊技者の周囲から迅速に排煙する技術が特許文献２で提案されている。この技術は、遊技機間の境界位置に吸気口と排気口を開口し、吸気口から吸引した煙を含む空気を浄化して排気口から排出する空気浄化ユニットを遊技機間の位置に内蔵している。しかしながら、境界位置全てに空気浄化ユニットを設ける必要があり、コストがかかっていた。また、タバコから出た煙は吸気口に吸引されるまで隣側へ流れることがあり、分煙は不十分であった。
【０００４】
一方、空調機の吹き出し口も天井にあるから、その吹き出し口から出た下向きの流れで汚れた空気が遊技者に吹き付けられる状態となっていた。また、冷房時に冷風が直接当たることで寒く感じて温度を低く設定できず、同じ遊技場内で寒い場所と暑い場所が発生することがあった。
【先行技術文献】
【特許文献】
【０００５】
【特許文献１】特開２０１３−１７６５５４号公報
【特許文献２】特開２００８−２６４０５９号公報
【発明の概要】
【発明が解決しようとする課題】
【０００６】
本発明が解決しようとする課題は、従来のこれらの問題点を解消し、タバコの煙が隣側へ流れないように確実に分煙でき、しかもその煙を迅速に遊技者の周囲から排煙でき、さらに空調機が吹き出す空気が遊技者に直接当たらないようにして遊技場内を温度差の少ない快適な環境にできる低コストの換気装置を提供することにある。
【課題を解決するための手段】
【０００７】
かかる課題を解決した本発明の構成は、
１）  遊技場の島の遊技機間に設けられる分煙ボードの上部に側面から吸気して上端から排気する送風機を取り付け、分煙ボードの後端に縦フレームを固着し、同縦フレームを挿入して分煙ボードを取り外し可能に装着する浅い受けボックスを島の遊技機間に固定し、同受けボックスに送風機へ給電する電源線の受けボックス側コネクターを設け、同受けボックス側コネクターと前記送風機の電源線に有する送風機側コネクターとを脱着可能に接続した、遊技設備の換気装置
２）  受けボックス側コネクターと対向する縦フレームの位置に送風機側コネクターを固着した、前記１）記載の遊技設備の換気装置
３）  縦フレームの下端を載せるスライド台を受けボックス内の下部に設けた、前記１）又は２）記載の遊技設備の換気装置
４）  遊技場の島の遊技機間に設けられる分煙ボードの上部に側面から吸気して上端から排気する送風機を取り付け、分煙ボードの後端に縦フレームを固着し、同縦フレーム及び送風機を含む分煙ボード全体を収納する奥行きの長い受けボックスを島の遊技機間に固定し、同受けボックスに送風機へ給電する電源線の受けボックス側コネクターを設け、同受けボックス側コネクターと前記送風機の電源線に有する送風機側コネクターとを脱着可能に接続した、遊技設備の換気装置
５）  送風機の電源線が、分煙ボードを引き出した状態で送風機側コネクターが受けボックス側コネクターに届く長さである、前記４）記載の遊技設備の換気装置
６）  縦フレームに送風機側コネクターを固着し、同送風機側コネクターと受けボックス側コネクターとを別体の電源線を介して接続した、前記４）記載の遊技設備の換気装置
７）  縦フレームの下端をスライド可能に支持するガイドレールを受けボックス内の下部に設けた、前記４）〜６）いずれか記載の遊技設備の換気装置
８）  分煙ボードの一部を切り欠き、同切欠き部に送風機を取り付けた、前記１）〜７）いずれか記載の遊技設備の換気装置
９）  送風機を分煙ボードの側面に取り付けた、前記１）〜７）いずれか記載の遊技設備の換気装置
１０）  ２体の送風機を対向させて分煙ボードに取り付けた、前記１）〜９）いずれか記載の遊技設備の換気装置
１１）  受けボックスに装着した分煙ボードを取り外し不能に施錠する施錠手段を設けた、前記１）〜１０）いずれか記載の遊技設備の換気装置
１２）  遊技機の説明書又は薄物のファイルを挟むホルダー又は飲料容器を載せる折り畳み可能な容器受けを分煙ボードの側面に設けた、前記１）〜１１）いずれか記載の遊技設備の換気装置
１３）  送風機が吹き出す空気に帯電イオン・オゾン・除菌剤又は消臭剤の粒子を送り込む除菌消臭剤送り込み装置を設けた、前記１）〜１２）いずれか記載の遊技設備の換気装置
にある。
【発明の効果】
【０００８】
本発明の前記１）及び４）記載の構成によれば、遊技者が喫煙して煙が出ると、その煙は分煙ボードで分煙され、直ぐに送風機が側面から吸気して上方へ排気する。したがって、煙が隣側へ流れないように分煙ボードで確実に分煙でき、しかもその煙が滞留することなく迅速に遊技者の周囲から排煙させることができる。また、従来技術の空気浄化ユニットと比較して簡易な構造で、低コストで実施できる。また、送風機が上方へ排気することで天井の空調機から吹き出した空気が島の周囲に迂回するように下方へ流れて循環するようになり、その空気の循環で場所による温度差がなくなり、しかも空調機から吹き出した空気が遊技者に直接当たることがなくなって快適な環境となる。また、遊技機の整備や新台への入れ替え時に、前記１）記載の構成では分煙ボードを受けボックスから取り外し、前記４）記載の構成では分煙ボードを受けボックスに収納することで、分煙ボードが邪魔にならないように且つ遊技機を傷つけないようにして作業できる。
【０００９】
本発明の前記２）記載の構成によれば、分煙ボードを受けボックスに装着するとコネクター同士も同時に接続され、コネクター同士の別途の接続作業が不要となる。
【００１０】
本発明の前記３）記載の構成によれば、分煙ボードをスライド台に載せて押すことで、受けボックスへの装着が容易に且つ正確に行える。
【００１１】
本発明の前記５）及び６）記載の構成によれば、分煙ボードを引き出して使用する場合は電源線が緊張し、分煙ボードを受けボックスに収納した場合は電源線が下方へ弛むようになり、電源線を繋いだまま分煙ボードの出し入れが可能となる。
【００１２】
本発明の前記７）記載の構成によれば、分煙ボードをガイドレールに載せてスライドさせることで、分煙ボードの収納及び引き出しが円滑に行える。
【００１３】
本発明の前記８）記載の構成によれば、分煙ボード全体の厚みを薄くできる。
【００１４】
本発明の前記９）記載の構成によれば、分煙ボードを加工することなく取り付けることができ、安価に実施できる。
【００１５】
本発明の前記１０）記載の構成によれば、分煙ボードの両側の煙をより強力に排煙できる。
【００１６】
本発明の前記１１）記載の構成によれば、遊技者による分煙ボードの無断引き抜きを防止できる。
【００１７】
本発明の前記１２）記載の構成によれば、遊技の方法が分からない場合などは、ホルダーから説明書を手に取って見ながら遊技することができ、通り掛かりの店員や隣の遊技者に尋ねたりする必要がない。また、飲料を飲みながら遊技する場合は、容器受けを展開して飲料容器を保持させることで、従来のようにテーブルに置いていた飲料容器を誤って倒したり落としたりして中身をこぼす心配がない。
【００１８】
本発明の前記１３）記載の構成によれば、送風機が吹き出す空気に帯電イオン・オゾン・除菌剤又は消臭剤の粒子を送り込むことで、島の送風機と天井の空調機による空気の循環で遊技場内をより快適な環境にできる。
【図面の簡単な説明】
【００１９】
【図１】実施例の換気装置の斜視図である。
【図２】実施例の分煙ボードと受けボックスの斜視図である。
【図３】実施例の分煙ボードと空気清浄機の分解斜視図である。
【図４】実施例の空気清浄機の断面図である。
【図５】実施例のスライド台の斜視図である。
【図６】実施例のコネクターの接続と分煙ボードの施錠を示す説明図である。
【図７】実施例の島における空気の流れを示す説明図である。
【図８】実施例の空気清浄機の様々な取り付け例を示す平面図である。
【図９】実施例の他の例の分煙ボードと受けボックスの斜視図である。
【図１０】実施例の他の例のガイドレールの動きを示す説明図である。
【図１１】実施例の他の例の分煙ボードの収納を示す斜視図である。
【図１２】実施例の他の例の分煙ボードの斜視図である。
【図１３】実施例の他の例のマイナスイオン発生器の斜視図である。
【発明を実施するための形態】
【００２０】
以下、本発明を実施するための形態を実施例と図面に基づいて具体的に説明する。なお、本発明は以下の実施例に限定されるものではなく、様々な組み合わせや変形が可能である。
【実施例】
【００２１】
図１〜７に本実施例の換気装置を示す。図中、１は島、２は遊技機、３は受けボックス、４は分煙ボードである。
【００２２】
受けボックス３は、分煙ボード４の後部を挿入する収納部３１と、給電線３２ａのコネクター３２と、コネクター３２への給電をＯＮ／ＯＦＦする電源スイッチ３３と、分煙ボード４の施錠手段３４と、分煙ボード４を載せて収納部３１に配置させるスライド台３５とで構成され、遊技機２間の各境界位置それぞれに固定されている。
【００２３】
コネクター３２は、収納部３１の上部に固着され、例えば直流１２Ｖが給電される。電源スイッチ３３は、作業者が遊技機２の正面側から手を伸ばして操作できるように収納部３１に取り付けられ、普段は常にＯＮにされる。
【００２４】
施錠手段３４は、錠穴３４ｄ付きの錠本体３４ａに施錠片３４ｃを備えた回転軸３４ｂが設けられた構造で、これが収納部３１の上方位置に回転可能に内蔵されている。錠３４ｅで錠本体３４ａを回転させると施錠片３４ｃが分煙ボード４の上部と係合し、分煙ボード４を取り外し不能に固定できるようになっている。この施錠手段３４は遊技者による分煙ボード４の無断引き抜きを防止するためのものである。
【００２５】
スライド台３５は断面凹状で、両側面に略Ｌ字状の溝３５ａが形成され、図５（ａ），（ｂ）に示すように、収納部３１の左右内面に設けた突起３１ａに前記溝３５ａを係合して収納部３１の底面を前後にスライド及び脱着できるようになっている。
【００２６】
分煙ボード４は、ボード本体４１と、ボード本体４１の上部に取り付けた空気清浄機４２と、ボード本体４１の後端に固着して受けボックス３の収納部３１に挿入する縦フレーム４３とで構成されている。
【００２７】
ボード本体４１は、透明又は半透明のプラスチック製で、側端部に取っ手４１ａが形成され、上部には空気清浄機４２を取り付けるための切欠き部４１ｂが形成されている。
【００２８】
空気清浄機４２は、送風機４２ａと、一対のカバー４２ｂ，４２ｃと、フィルター４２ｄと、フィルター受け４２ｅとを備え、ボード本体４１の切欠き部４１ｂに取り付けられている。一方のカバー４２ｂは側面に吸気口４２ｂ１が設けられ、上面に排気口４２ｂ２が設けられている。他方のカバー４２ｃは上面に排気口４２ｃ１が設けられ、側面はフィルター４２ｄの交換用として吸気口を有する押え蓋４２ｆが設けられ、押え蓋４２ｆを閉じることで裏面の押え凸起４２ｇがフィルター４２ｄをフィルター受け４２ｅに押し付けて保持するようになっている。図中、４２ｈは閉めた押え蓋４２ｆを固定する固定ネジである。空気清浄機４２の電源線４２ｉは、ボード本体４１の上端部に沿って配線され、配線カバー４４で被覆されている。
【００２９】
縦フレーム４３は、上端に施錠手段３４の施錠片３４ｃが係止する係合溝４３ａが形成され、下端にはスライド台３５と嵌合できる形状の突起４３ｂが形成されている。受けボックス３側のコネクター３２と対向する背面の位置には、電源線４２ｉの先端に有するコネクター４２ｊが固着され、縦フレーム４３を受けボックス３の収納部３１に挿入した際にコネクター３２と接続されるようになっている。
【００３０】
本実施例では、図５（ｃ）に示すように、受けボックス３から引き出したスライド台３５に分煙ボード４の突起４３ｂを嵌合し、図６（ａ）に示すように、分煙ボード４を前方へ押して縦フレーム４３を収納部３１に挿入する。このとき、空気清浄機４２側のコネクター４２ｊが受けボックス３側のコネクター３２に同時に接続されて空気清浄機４２に通電され、図１に示すように、側面から吸気して上端から排気するように動作する。空気清浄機４２の裏面側の吸気は、図４に示すように、カバー４２ｂの吸気口を通過した後、空気清浄機４２の正面側（吸気側）へ回り込んでフィルター４２ｄに流れる。その後、図６（ｂ）に示すように、錠３４ｅで錠本体３４ａを回転させて施錠片３４ｃを縦フレーム４３の係合溝４３ａに係合し、分煙ボード４を取り外し不能に施錠する。
【００３１】
遊技者が喫煙して煙が出ると、その煙は分煙ボード４で分煙され、隣側へ流れることはない。そして、その煙は直ぐに空気清浄機４２によって吸気され、フィルター４２ｄで浄化されて上方へ排気される。したがって、煙が隣側へ流れないように確実に分煙でき、しかもその煙を滞留させることなく迅速に遊技者の周囲から排煙できるものとなっている。さらに、従来技術の空気浄化ユニットと比較して簡易な構造であり、低コストで実施できるものとなっている。
【００３２】
また、図７に示すように、島１の空気清浄機４２が空気を上方向へ吹き出すことで、天井の空調機Ａの吹き出し口から出た空気は下へ降りられなくなり、島１のない大きな通路まで天井に沿って横方向へ流れて降下する。その降下した空気は島１と島１の間の遊技者がいる通路の床に流れ、それが島１の空気清浄機４２に吸い込まれて上方向へ吹き出し、循環するような大きな流れが発生する。したがって、島１の空気清浄機４２で遊技場全体の空気が攪拌されて場所による温度差がなくなり、空調機Ａの温度設定値を従来より冷房時２〜３℃高め（暖房時は２〜３℃低め）にしても冷暖房効果を十分に出すことができ、省エネルギーとなる。また、空調機Ａから出た空気は横方向へ流れて遊技者に直接吹き付けられることがなくなり、快適な環境となる。
【００３３】
遊技機２の整備や新台への入れ替え時は、錠３４ｅで錠本体３４ａを回転させて施錠を解除し、分煙ボード４を受けボックス３から引き抜いて取り外す。同時にコネクター３２，４２ｊも外れて空気清浄機４２が停止する。これによって、分煙ボード４が邪魔にならないようにして作業できる。フィルター４２ｄの交換は、固定ネジ４２ｈを緩めて押え蓋４２ｆを開けることで容易に行える。
【００３４】
図８に示すのは、空気清浄機４２の様々な取り付け例である。図８（ａ）に示すのは、空気清浄機４２をボード本体４１の片面に直接取り付けた例で、切欠き部４１ｂは形成していない。図８（ｂ）に示すのは、空気清浄機４２をボード本体４１の両面に取り付けた例で、分煙ボード４の両側の煙をより強力に排煙できるようにしている。ボード本体４１に切欠き部４１ｂは形成していない。図８（ｃ）に示すのは、図８（ｂ）と同様に空気清浄機４２をボード本体４１の両面に取り付けた例であるが、ボード本体４１を切り欠いて取り付けており、分煙ボード４全体の厚みを薄くできるようにしている。その他、符号、構成、作用効果は実施例と同じである。
【００３５】
図９〜１１に示すのは、実施例の受けボックス３の他の例である。この例では、収納部３１が分煙ボード４とほぼ同じ奥行きを有しており、未使用時に分煙ボード４全体を受けボックス３に収納できる構造となっている。電源スイッチ３３は、収納部３１の上面で且つ作業者の手が届く距離に設けられている。収納部３１の底面はスライド台３５に代えてスライド可能なガイドレール３６が設けられ、その前後端には前壁３６ａと後壁３６ｂが形成されている。
【００３６】
分煙ボード４は前記実施例と同じものが用いられ、その縦フレーム４３の突起４３ｂをガイドレール３６に嵌合してスライドできるようになっている。収納時は、図１０（ａ）に示すように、突起４３ｂが静止状態のガイドレール３６上を摺動しながら分煙ボード４がスライドし、突起４３ｂが後壁３６ｂに接触すると、図１０（ｂ）に示すように、ガイドレール３６が収納部３１の底面を摺動しながら分煙ボード４がさらにスライドする。
【００３７】
空気清浄機４２側のコネクター４２ｊと受けボックス３側のコネクター３２とは別体の電源線４５で接続している。図中、４５ａはコネクターである。これによって、分煙ボード４を引き出して使用する場合は電源線４５がやや揺るんだ状態に緊張し、分煙ボード４を受けボックス３に収納した場合は電源線４５が下方へ弛むようになっている。その他、符号、構成、作用効果は実施例と同じである。
【００３８】
図１２に示すのは、実施例の分煙ボード４の他の例で、遊技機２の説明書Ｍ（その他遊技に関する書面や広告等の薄物のファイル）を挟むホルダー５と飲料容器Ｄを載せる折り畳み可能な容器受け６をボード本体４１の側面に設けている。これによって、遊技の方法が分からない場合などは、ホルダー５から説明書Ｍを手に取って見ながら遊技することができ、通り掛かりの店員や隣の遊技者に尋ねたりする必要がない。また、飲料を飲みながら遊技する場合は、容器受け６を展開して飲料容器Ｄを保持させることで、従来のようにテーブルに置いていた飲料容器Ｄを誤って倒したり落としたりして中身をこぼす心配がない。その他、符号、構成、作用効果は実施例と同じである。
【００３９】
図１３に示すのは、マイナスイオン発生器９を設けた例である。マイナスイオン発生器９は、その吹出口９ａが送風機４２ａの排気口４２ｋと連通するように取り付けられており、送風機４２ａから排気される浄化済みの空気にマイナスに帯電したイオンが放出され、島１の空気清浄機４２と天井の空調機Ａによる空気の循環で遊技場内をより快適な環境にできるようになっている。図中、９ｂは電源線である。その他、プラズマ放電によるイオン発生器や帯電微粒子水発生装置、オゾン・除菌剤・消臭剤等の粒子を送り込む装置などの公知の機器を使用することができる。その他、符号、構成、作用効果は実施例と同じである。
【産業上の利用可能性】
【００４０】
本発明の技術は、複数の遊技機やメダル貸し機が列設された島に利用される。
【符号の説明】
【００４１】
１        島
２        遊技機
３        受けボックス
３１      収納部
３１ａ    突起
３２      コネクター
３２ａ    給電線
３３      電源スイッチ
３４      施錠手段
３４ａ    錠本体
３４ｂ    回転軸
３４ｃ    施錠片
３４ｄ    錠穴
３４ｅ    錠
３５      スライド台
３５ａ    溝
３６      ガイドレール
３６ａ    前壁
３６ｂ    後壁
４        分煙ボード
４１      ボード本体
４１ａ    取っ手
４１ｂ    切欠き部
４２      空気清浄機
４２ａ    送風機
４２ｂ    カバー
４２ｂ１  吸気口
４２ｂ２  排気口
４２ｃ    カバー
４２ｃ１  排気口
４２ｄ    フィルター
４２ｅ    フィルター受け
４２ｆ    押え蓋
４２ｇ    押え凸起
４２ｈ    固定ネジ
４２ｉ    電源線
４２ｊ    コネクター
４２ｋ    排気口
４３      縦フレーム
４３ａ    係合溝
４３ｂ    突起
４４      配線カバー
４５      電源線
４５ａ    コネクター
５        ホルダー
６        容器受け
９        マイナスイオン発生器
９ａ      吹出口
９ｂ      電源線
Ａ        空調機
Ｄ        飲料容器
Ｍ        遊技機の説明書
【図１】
2016029985.tif 000003
【図２】
2016029985.tif 000004
【図３】
2016029985.tif 000005
【図４】
2016029985.tif 000006
【図５】
2016029985.tif 000007
【図６】
2016029985.tif 000008
【図７】
2016029985.tif 000009
【図８】
2016029985.tif 000010
【図９】
2016029985.tif 000011
【図１０】
2016029985.tif 000012
【図１１】
2016029985.tif 000013
【図１２】
2016029985.tif 000014
【図１３】
2016029985.tif 000015